(57)【特許請求の範囲】
【請求項１】
操作端末に設けられた複数の番号ボタンのいずれか１つが操作されたことに基づいて、操作された前記番号ボタンを示す番号情報を前記操作端末から受け付ける情報受付部と、
前記複数の番号ボタンのそれぞれと、複数の放送チャンネルから選択された登録放送チャンネルとを関連付けた登録チャンネルテーブルを記憶する記憶部と、
前記複数の放送チャンネルのうち、前記番号情報が示す前記番号ボタンの番号を先頭に含む前方一致放送チャンネルを特定し、前記登録チャンネルテーブルにおいて前記番号情報が示す前記番号ボタンに関連付けられた前記登録放送チャンネルを特定する特定部と、
前記放送チャンネルを選択するための選択肢として、前記前方一致放送チャンネルと前記登録放送チャンネルとを表示部に表示させる表示制御部と、
を備える、放送受信装置。
【請求項２】
前記表示制御部は、前記前方一致放送チャンネルと前記登録放送チャンネルとを前記選択肢として表示している状態において前記情報受付部が次の前記番号情報を受け付けた場合に、前記登録放送チャンネルを前記選択肢から消去するとともに、前記次の番号情報が示す前記番号ボタンの番号を上から２桁目に含む前記前方一致放送チャンネルを前記表示部に表示させる、
請求項１に記載の放送受信装置。
【請求項３】
前記表示制御部は、前記特定部が特定した前記登録放送チャンネルを前記前方一致放送チャンネルよりも優先して前記表示部に前記選択肢として表示させる、
請求項１又は２に記載の放送受信装置。
【請求項４】
前記表示制御部は、選局されている放送チャンネルに対応する第１ネットワークに属する他の放送チャンネルを、前記第１ネットワークと異なる第２ネットワークに属する放送チャンネルよりも優先して前記表示部に前記選択肢として表示させる、
請求項１から３のいずれか一項に記載の放送受信装置。
【請求項５】
前記表示制御部は、前記選択肢として表示した前記前方一致放送チャンネル及び前記登録放送チャンネルから一つの放送チャンネルを選択するためのカーソルをさらに表示し、前記カーソルを表示した状態において前記情報受付部が前記カーソルを移動させるための指示を所定期間以上受け付けない場合、前記カーソルの位置に対応する前記放送チャンネルの放送画像を前記表示部に表示させる、
請求項１から４のいずれか一項に記載の放送受信装置。
【請求項６】
前記表示制御部は、前記特定部が特定した前記登録放送チャンネルと同じ前記放送チャンネルを除く前記複数の前記放送チャンネルのうち、前記情報受付部が受け付けた前記番号情報が示す前記番号ボタンの番号を先頭に含む前記前方一致放送チャンネルを前記選択肢として前記表示部に表示させる、
請求項１から５のいずれか一項に記載の放送受信装置。
【請求項７】
前記記憶部は、複数の放送チャンネルのそれぞれと、サブチャンネルであるか否かを示すサブチャンネル情報と、イベント共有されているか否かを示す共有情報とを関連付けた属性テーブルをさらに記憶し、
前記表示制御部は、前記サブチャンネルであることを示す前記サブチャンネル情報と、イベント共有されていることを示す前記共有情報とに前記属性テーブルにおいて関連付けられた前記放送チャンネルを前記選択肢として前記表示部に表示しない、
請求項１から６のいずれか一項に記載の放送受信装置。
【請求項８】
前記情報受付部は、複数の前記番号ボタンが順に操作されたことに基づいて、前記番号情報を操作された順に受け付け、
前記特定部は、前記情報受付部が最初に受け付けた前記番号情報が示す前記番号を先頭に含み、且つ、２番目に受け付けた前記番号情報が示す前記番号を上から２桁目に含む前記前方一致放送チャンネルを特定し、前記情報受付部が最初に受け付けた前記番号情報が示す前記番号が２桁の特定番号である場合に、当該特定番号を上から２桁目までに含む前記放送チャンネルを前記前方一致放送チャンネルとして特定し、２番目以降に受け付けた前記番号情報が示す前記番号が前記特定番号である場合に、当該特定番号を含む前記前方一致放送チャンネルを特定しない、
請求項１から７のいずれか一項に記載の放送受信装置。
【請求項９】
前記記憶部は、複数の放送チャンネルのそれぞれと、チャンネルマスクされているか否かを示すマスク情報とを関連付けた属性テーブルをさらに記憶し、
前記表示制御部は、チャンネルマスクされていることを示す前記マスク情報に前記属性テーブルにおいて関連付けられた前記放送チャンネルを前記選択肢として前記表示部に表示しない、
請求項１から８のいずれか一項に記載の放送受信装置。
【請求項１０】
コンピュータに、
操作端末に設けられた複数の番号ボタンのいずれか１つが操作されたことに基づいて、操作された前記番号ボタンを示す番号情報を前記操作端末から受け付けるステップと、
前記複数の番号ボタンのそれぞれと、複数の放送チャンネルから選択された登録放送チャンネルとを関連付けた登録チャンネルテーブルを記憶するステップと、
前記複数の放送チャンネルのうち、前記番号情報が示す前記番号ボタンの番号を先頭に含む前方一致放送チャンネルを特定し、前記登録チャンネルテーブルにおいて前記番号情報が示す前記番号ボタンに関連付けられた前記登録放送チャンネルを特定するステップと、
前記放送チャンネルを選択するための選択肢として、前記前方一致放送チャンネルと前記登録放送チャンネルとを表示部に表示させるステップと、
を実行させるための、プログラム。
【請求項１１】
操作端末と、放送受信装置とを含む放送受信システムであって、
前記操作端末は、
複数の番号ボタンと、
前記複数の番号ボタンのいずれか１つが操作されたことを受け付ける操作受付部と、
複数の番号ボタンのいずれか１つが操作されたことを前記操作受付部が受け付けたことに基づいて、操作された前記番号ボタンを示す番号情報を前記放送受信装置に送信する送信部と、を備え、
前記放送受信装置は、
前記番号情報を前記操作端末から受け付ける情報受付部と、
前記複数の番号ボタンのそれぞれと、複数の放送チャンネルから選択された登録放送チャンネルとを関連付けた登録チャンネルテーブルを記憶する記憶部と、
前記複数の放送チャンネルのうち、前記番号情報が示す前記番号ボタンの番号を先頭に含む前方一致放送チャンネルを特定し、前記登録チャンネルテーブルにおいて前記番号情報が示す前記番号ボタンに関連付けられた前記登録放送チャンネルを特定する特定部と、
前記放送チャンネルを選択するための選択肢として、前記前方一致放送チャンネルと前記登録放送チャンネルとを表示部に表示させる表示制御部と、
を備える、放送受信システム。
【発明の詳細な説明】
【技術分野】
【０００１】
本発明は、放送信号を受信する放送受信装置、放送受信システム及びプログラムに関する。
【背景技術】
【０００２】
従来、ユーザが３桁の放送チャンネルの番号をリモコン等の操作端末に入力すると、この番号に対応する放送局を選択する放送受信装置が知られている（例えば、非特許文献１）。
【先行技術文献】
【非特許文献】
【０００３】
【非特許文献１】「ＣＡＴＶ  デジタルセットトップボックス  ＴＺ−ＬＴ１０００ＢＷ  取扱説明書」、パナソニック株式会社、日本、p. 10―13
【発明の概要】
【発明が解決しようとする課題】
【０００４】
従来の放送受信機でユーザが選局する場合、ユーザは、リモコンにおいて３桁の放送チャンネルの番号を入力する必要があるので、放送局に対応する３桁の放送チャンネルの番号をユーザが記憶する必要があった。操作端末のボタンに対応する放送チャンネルを予め登録するプリセット機能を用いることで、ユーザは予め登録した放送チャンネルの番号を記憶しておく必要がなくなるが、操作端末に配置されたボタンの総数を超える放送チャンネルを登録することができないという問題があった。
【０００５】
そこで、本発明はこれらの点に鑑みてなされたものであり、放送チャンネルの選択を行いやすくすることを目的とする。
【課題を解決するための手段】
【０００６】
本発明の第１の態様の放送受信装置は、操作端末に設けられた複数の番号ボタンのいずれか１つが操作されたことに基づいて、操作された前記番号ボタンを示す番号情報を前記操作端末から受け付ける情報受付部と、前記複数の番号ボタンのそれぞれと、複数の放送チャンネルから選択された登録放送チャンネルとを関連付けた登録チャンネルテーブルを記憶する記憶部と、前記複数の放送チャンネルのうち、前記番号情報が示す前記番号ボタンの番号を先頭に含む前方一致放送チャンネルを特定し、前記登録チャンネルテーブルにおいて前記番号情報が示す前記番号ボタンに関連付けられた前記登録放送チャンネルを特定する特定部と、前記放送チャンネルを選択するための選択肢として、前記前方一致放送チャンネルと前記登録放送チャンネルとを表示部に表示させる表示制御部と、を備える。
【０００７】
前記表示制御部は、前記前方一致放送チャンネルと前記登録放送チャンネルとを前記選択肢として表示している状態において前記情報受付部が次の前記番号情報を受け付けた場合に、前記登録放送チャンネルを前記選択肢から消去するとともに、前記次の番号情報が示す前記番号ボタンの番号を上から２桁目に含む前記前方一致放送チャンネルを前記表示部に表示させてもよい。
【０００８】
前記表示制御部は、前記特定部が特定した前記登録放送チャンネルを前記前方一致放送チャンネルよりも優先して前記表示部に前記選択肢として表示させてもよい。前記表示制御部は、選局されている放送チャンネルに対応する第１ネットワークに属する他の放送チャンネルを、前記第１ネットワークと異なる第２ネットワークに属する放送チャンネルよりも優先して前記表示部に前記選択肢として表示させてもよい。
【０００９】
前記表示制御部は、前記選択肢として表示した前記前方一致放送チャンネル及び前記登録放送チャンネルから一つの放送チャンネルを選択するためのカーソルをさらに表示し、前記カーソルを表示した状態において前記情報受付部が前記カーソルを移動させるための指示を所定期間以上受け付けない場合、前記カーソルの位置に対応する前記放送チャンネルの放送画像を前記表示部に表示させてもよい。
【００１０】
前記表示制御部は、前記特定部が特定した前記登録放送チャンネルと同じ前記放送チャンネルを除く前記複数の前記放送チャンネルのうち、前記情報受付部が受け付けた前記番号情報が示す前記番号ボタンの番号を先頭に含む前記前方一致放送チャンネルを前記選択肢として前記表示部に表示させてもよい。
【００１１】
前記記憶部は、複数の放送チャンネルのそれぞれと、サブチャンネルであるか否かを示すサブチャンネル情報と、イベント共有されているか否かを示す共有情報とを関連付けた属性テーブルをさらに記憶し、前記表示制御部は、前記サブチャンネルであることを示す前記サブチャンネル情報と、イベント共有されていることを示す前記共有情報とに前記属性テーブルにおいて関連付けられた前記放送チャンネルを前記選択肢として前記表示部に表示しなくてもよい。
【００１２】
前記情報受付部は、複数の前記番号ボタンが順に操作されたことに基づいて、前記番号情報を操作された順に受け付け、前記特定部は、前記情報受付部が最初に受け付けた前記番号情報が示す前記番号を先頭に含み、且つ、２番目に受け付けた前記番号情報が示す前記番号を上から２桁目に含む前記前方一致放送チャンネルを特定し、前記情報受付部が最初に受け付けた前記番号情報が示す前記番号が２桁の特定番号である場合に、当該特定番号を上から２桁目までに含む前記放送チャンネルを前記前方一致放送チャンネルとして特定し、２番目以降に受け付けた前記番号情報が示す前記番号が前記特定番号である場合に、当該特定番号を含む前記前方一致放送チャンネルを特定しなくてもよい。
【００１３】
前記記憶部は、複数の放送チャンネルのそれぞれと、チャンネルマスクされているか否かを示すマスク情報とを関連付けた属性テーブルをさらに記憶し、前記表示制御部は、チャンネルマスクされていることを示す前記マスク情報に前記属性テーブルにおいて関連付けられた前記放送チャンネルを前記選択肢として前記表示部に表示しなくてもよい。
【００１４】
本発明の第２の態様のプログラムは、コンピュータに、操作端末に設けられた複数の番号ボタンのいずれか１つが操作されたことに基づいて、操作された前記番号ボタンを示す番号情報を前記操作端末から受け付けるステップと、前記複数の番号ボタンのそれぞれと、複数の放送チャンネルから選択された登録放送チャンネルとを関連付けた登録チャンネルテーブルを記憶するステップと、前記複数の放送チャンネルのうち、前記番号情報が示す前記番号ボタンの番号を先頭に含む前方一致放送チャンネルを特定し、前記登録チャンネルテーブルにおいて前記番号情報が示す前記番号ボタンに関連付けられた前記登録放送チャンネルを特定するステップと、前記放送チャンネルを選択するための選択肢として、前記前方一致放送チャンネルと前記登録放送チャンネルとを表示部に表示させるステップと、を実行させる。
【００１５】
本発明の第３の態様の放送受信システムは、操作端末と、放送受信装置とを含む放送受信システムであって、前記操作端末は、複数の番号ボタンと、前記複数の番号ボタンのいずれか１つが操作されたことを受け付ける操作受付部と、複数の番号ボタンのいずれか１つが操作されたことを前記操作受付部が受け付けたことに基づいて、操作された前記番号ボタンを示す番号情報を前記放送受信装置に送信する送信部と、を備え、前記放送受信装置は、前記番号情報を前記操作端末から受け付ける情報受付部と、前記複数の番号ボタンのそれぞれと、複数の放送チャンネルから選択された登録放送チャンネルとを関連付けた登録チャンネルテーブルを記憶する記憶部と、前記複数の放送チャンネルのうち、前記番号情報が示す前記番号ボタンの番号を先頭に含む前方一致放送チャンネルを特定し、前記登録チャンネルテーブルにおいて前記番号情報が示す前記番号ボタンに関連付けられた前記登録放送チャンネルを特定する特定部と、前記放送チャンネルを選択するための選択肢として、前記前方一致放送チャンネルと前記登録放送チャンネルとを表示部に表示させる表示制御部と、を備える。
【発明の効果】
【００１６】
本発明によれば、放送チャンネルの選択を行いやすくするという効果を奏する。
【図面の簡単な説明】
【００１７】
【図１】実施形態に係る放送受信システムの概要について説明するための図である。
【図２】実施形態に係る放送受信システムの概要について説明するための図である。
【図３】放送受信システムに含まれる放送受信装置の構成を示す図である。
【図４】特定部による前方一致放送チャンネルの特定方法を説明するための図である。
【図５】操作端末に配置される複数の番号ボタンと、前方一致登録チャンネルの特定に用いられる番号との関係を示す図である。
【図６】表示制御部による選択肢の表示の一例を示す図である。
【図７】表示制御部が優先して表示する選択肢を決定する方法を説明するための図である。
【図８】表示制御部によるカーソルの表示の一例を示す図である。
【図９】操作端末の構成を示す図である。
【図１０】放送受信装置による放送チャンネルの選択肢の表示の処理手順を示すフローチャートである。
【発明を実施するための形態】
【００１８】
［放送受信システムＳの概要］
図１及び図２は、本発明の実施形態に係る放送受信システムＳの概要について説明するための図である。図１は、放送受信システムＳの構成を示す図である。放送受信システムＳは、操作端末１００、ディスプレイ２００、放送受信装置３００及び共同受信設備４００を備える。
【００１９】
操作端末１００は、ディスプレイ２００に表示される放送画像の放送チャンネルを選択するためのリモートコントローラである。操作端末１００は、複数の番号ボタンを有し、番号ボタンのいずれか一つが操作されたことを受け付ける。操作端末１００は、複数の番号ボタンのいずれか一つが操作されたことを受け付けたことに基づいて、操作された番号ボタンを示す番号情報を放送受信装置３００へ送信する。
【００２０】
ディスプレイ２００は、例えば、放送受信装置３００が受信した放送信号に基づく放送画像を表示するための表示部である。ディスプレイ２００は、例えば、テレビ受像機である。ディスプレイ２００は、放送受信装置３００と一体的に構成されていてもよい。
【００２１】
放送受信装置３００は、例えば、セットトップボックスである。放送受信装置３００は、地上波デジタル放送、衛星放送、ＣＡＴＶ（Cable television）等の複数のネットワークに属する放送チャンネルの放送信号を共同受信設備４００から受信する。放送受信装置３００は、受信した放送信号に基づく放送画像をディスプレイ２００に表示させる。
【００２２】
放送受信装置３００は、操作された番号ボタンを示す番号情報を操作端末１００から受け付ける。放送受信装置３００は、受け付けた番号情報に基づいて、放送チャンネルを選択するための選択肢をディスプレイ２００に表示する。図２は、放送受信装置３００による選択肢の表示の一例を示す図である。図２の例では、放送受信装置３００が「１」の番号ボタンが操作されたことを示す番号情報を受け付けたときの様子を示す。放送受信装置３００は、受け付けた番号情報が示す番号ボタンの番号「１」を上部の表示エリアに表示する。
【００２３】
放送受信装置３００は、操作端末１００から受け付けた番号情報が示す番号ボタンの番号を先頭に含む前方一致チャンネルを特定し、特定した前方一致チャンネルをディスプレイ２００に表示させる。図２の例では、放送受信装置３００は、番号「１」を先頭に含む前方一致チャンネルの選択肢として、４Ｋ画質の衛星放送のチャンネル番号「１０１」の放送局「ＸＢＳ４Ｋ」、地上波デジタル放送の放送チャンネル「１０１」の放送局「Ｏテレビ」、衛星放送の放送チャンネル「１０２」の放送局「テレビＺ」をディスプレイ２００に表示させる。
【００２４】
放送受信装置３００は、ネットワークの種別と、操作端末１００の複数の番号ボタンのそれぞれと、複数の放送チャンネルから選択された登録放送チャンネルとを関連付けた登録チャンネルテーブルを記憶している。登録チャンネルテーブルは、放送受信装置３００の工場出荷時に設定されていてもよく、ユーザが予め設定してもよい。放送受信装置３００は、登録チャンネルテーブルを参照して、受け付けた番号情報が示す番号ボタンに関連付けられた登録放送チャンネルを特定し、特定した登録放送チャンネルの選択肢をディスプレイ２００に表示させる。
【００２５】
放送受信装置３００は、特定した登録放送チャンネルの選択肢と、登録放送チャンネルであることを示す正方形のマーク２０１とを関連付けて表示する。放送受信装置３００は、登録放送チャンネルに対応する番号ボタンの番号「１」をマーク２０１に付して表示する。図２の例では、放送受信装置３００は、地上波デジタル放送の放送チャンネル「０１１」の放送局「Ｙチャンネル」と、衛星放送の放送チャンネル「１０１」の放送局「Ｖ１ＢＳテレビ」とを登録放送チャンネルの選択肢としてディスプレイ２００に表示させる。
【００２６】
共同受信設備４００は、比較的高い建物等に設置されたアンテナを介して、地上波デジタル放送等の複数のネットワークに対応する放送信号を受信する。共同受信設備４００は、受信した放送信号を複数の世帯の放送受信装置３００へ供給する。
【００２７】
放送受信装置３００は、ユーザが操作した番号ボタンに対応する登録放送チャンネルの選択肢を表示する。放送受信装置３００は、登録放送チャンネルの選択肢を表示することに加えて、ユーザが操作した番号ボタンの番号を先頭に含む前方一致チャンネルの選択肢を表示することができる。このため、ユーザは、選局される可能性が比較的高い登録放送チャンネルの選択肢、及び登録放送チャンネル以外の放送チャンネルのうちユーザが選択する可能性がある複数の選択肢から所望の放送チャンネルを選択することができる。したがって、ユーザが放送局の放送チャンネルを覚えていない場合においても放送チャンネルを選択しやすい。
【００２８】
［放送受信装置の構成］
図３は、放送受信システムＳに含まれる放送受信装置３００の構成を示す図である。放送受信装置３００は、情報受信部１、放送受信部２、記憶部３及び制御部４を備える。
【００２９】
情報受信部１は、操作端末１００から情報を受信するための通信モジュールである。例えば、情報受信部１は、操作端末１００が発する赤外線信号を受信する。放送受信部２は、同軸ケーブル等を介して、地上波デジタル放送、衛星放送等の複数のネットワークに属する放送チャンネルの放送信号を共同受信設備４００から受信する。放送受信部２は、受信した放送信号を対応する復号方法でそれぞれ復号する。放送受信部２は、復号後の放送信号を表示制御部４３へ出力する。
【００３０】
記憶部３は、ＲＯＭ（Read Only Memory）、ＲＡＭ（Random Access Memory）及びハードディスク等の記憶媒体である。記憶部３は、制御部４が実行するプログラムを記憶している。制御部４は、例えばＣＰＵ（Central Processing Unit）である。制御部４は、記憶部３に記憶されたプログラムを実行することにより、情報受付部４１、特定部４２及び表示制御部４３として機能する。
【００３１】
情報受付部４１は、情報受信部１を介して、操作端末１００から各種の情報を受け付ける。例えば、情報受付部４１は、操作端末１００に設けられた複数の番号ボタンのいずれか１つが操作されたことに基づいて、操作された番号ボタンを示す番号情報を操作端末１００から受け付ける。情報受付部４１は、複数の番号ボタンが順に操作されたことに基づいて、番号情報を操作された順に受け付ける。
【００３２】
［前方一致放送チャンネルの特定］
特定部４２は、複数の放送チャンネルのうち、情報受付部４１が受け付けた番号情報が示す番号ボタンの番号を先頭に含む前方一致放送チャンネルを特定する。例えば、特定部４２は、情報受付部４１が「１」の番号ボタンが操作されたことを示す番号情報を受け付けた場合に、番号「１」を先頭に含む前方一致チャンネルとして、４Ｋ画質の衛星放送に属する放送チャンネル「１０１」の放送局「ＸＢＳ４Ｋ」等を特定する（図２参照）。
【００３３】
特定部４２は、前方一致放送チャンネル及び登録放送チャンネルが選択肢としてディスプレイ２００に表示されている状態において情報受付部４１が２番目の番号情報を受け付けた場合に、最初に受け付けた番号情報が示す番号を先頭に含み、且つ、２番目に受け付けた番号情報が示す番号ボタンの番号を上から２桁目に含む前方一致放送チャンネルを新たに特定する。
【００３４】
図４（ａ）及び（ｂ）は、特定部４２による前方一致放送チャンネルの特定方法を説明するための図である。図４（ａ）は、図２の状態において情報受付部４１が次の番号情報を受け付けた場合の様子を示す。特定部４２は、情報受付部４１が番号「４」の番号ボタンを示す番号情報を受け付けると、最初に受け付けた番号「１」を先頭に含み、且つ、次に受け付けた番号「４」を上から２桁目に含む放送チャンネルを前方一致放送チャンネルとして特定する。特定部４２は、図４（ａ）に示すように、衛星放送の放送チャンネル「１４１」の放送局「ＢＳＸ１テレビ」と、衛星放送の放送チャンネル「１４２」の放送局「ＢＳＸ２テレビ」と、衛星放送の放送チャンネル「１４３」の放送局「ＢＳＸ３テレビ」とをそれぞれ前方一致放送チャンネルとして特定する。
【００３５】
図４（ｂ）は、図４（ａ）の情報受付部４１がさらに次の番号情報を受け付けた場合の様子を示す。特定部４２は、情報受付部４１が番号「１」を示す番号情報を受け付けると、最初に受け付けた番号「１」を先頭に含み、２番目に受け付けた番号「４」を上から２桁目に含み、且つ、３番目に受け付けた番号「１」を上から３桁目に含む放送チャンネルを前方一致放送チャンネルとして特定する。特定部４２は、図４（ｂ）に示すように、衛星放送に属する放送チャンネル「１４１」の放送局「ＢＳＸ１テレビ」のみを前方一致チャンネルとして特定する。
【００３６】
［登録放送チャンネルの特定］
記憶部３には、ネットワークの種別と、複数の番号ボタンのそれぞれと、複数の放送チャンネルから選択された登録放送チャンネルとを関連付けた登録チャンネルテーブルが記憶されている。ネットワークの種別は、例えば、地上波デジタル放送、衛星放送、４Ｋ画質の衛星放送、ＣＡＴＶである。特定部４２は、登録チャンネルテーブルを記憶部３から読み出す。特定部４２は、読み出した登録チャンネルテーブルにおいて番号情報が示す番号ボタンに関連付けられた登録放送チャンネルを特定する。
【００３７】
上述の図２に示した例では、特定部４２は、登録チャンネルテーブルにおいて「１」の番号ボタンに関連付けられた登録放送チャンネルとして、地上波デジタル放送の放送チャンネル「０１１」の放送局「Ｙチャンネル」と、衛星放送の放送チャンネル「１０１」の放送局「Ｖ１ＢＳテレビ」とをそれぞれ特定する。
【００３８】
［特定番号を含む前方一致放送チャンネルの特定］
図５は、操作端末１００に配置された複数の番号ボタンと、前方一致登録チャンネルの特定に用いられる番号との関係を示す図である。特定部４２は、情報受付部４１が最初に受け付けた番号情報が示す番号ボタンの番号が「１」〜「９」である場合、これらの番号を先頭に含む前方一致チャンネルを特定する。同様に、特定部４２は、情報受付部４１が２番目以降に受け付けた番号情報が示す番号ボタンの番号が「１」〜「９」である場合、これらの番号を上から２桁目以降に含む前方一致放送チャンネルを特定する。
【００３９】
特定部４２は、情報受付部４１が最初に受け付けた番号情報が示す番号ボタンの番号が「１０」である場合、番号「０」を先頭に含む前方一致チャンネルを特定する。同様に、特定部４２は、情報受付部４１が２番目以降に受け付けた番号情報が示す番号ボタンの番号が「１０」である場合、番号「０」を上から２桁目以降に含む前方一致放送チャンネルを特定する。
【００４０】
特定部４２は、情報受付部４１が最初に受け付けた番号情報が示す番号ボタンの番号が「１１」、「１２」等の２桁の特定番号である場合に、この特定番号を上から２桁目までに含む放送チャンネルを前方一致放送チャンネルとして特定する。例えば、特定部４２は、情報受付部４１が最初に受け付けた番号情報が示す番号ボタンの番号が「１１」である場合、「１１」を上から２桁目までに含む「１１０」、「１１１」、「１１２」等の放送チャンネルを前方一致放送チャンネルとして特定する。一方、特定部４２は、情報受付部４１が２番目以降に受け付けた番号情報が示す番号が特定番号である場合に、受け付けた番号情報を無効とし、特定番号を含む前方一致放送チャンネルを特定しない。
【００４１】
表示制御部４３は、放送受信部２が復号した後の放送信号に基づく放送画像をディスプレイ２００に表示させる。表示制御部４３は、放送チャンネルを選択するための選択肢として、特定部４２が特定した前方一致放送チャンネル及び登録放送チャンネルをディスプレイ２００に表示させる。
【００４２】
［最初の番号情報の受付時の選択肢の表示］
図６（ａ）及び（ｂ）は、表示制御部４３による選択肢の表示の一例を示す図である。図６（ａ）は、情報受付部４１が最初の番号情報を受け付けたときの様子を示す。図６（ｂ）は、情報受付部４１が２番目の番号情報を受け付けたときの様子を示す。図６（ａ）に示すように、表示制御部４３は、最初に操作された番号「７」の番号ボタンを示す番号情報を情報受付部４１が受け付けた場合には、地上波デジタル放送の放送チャンネル「０７１」の放送局「Ｄテレビ」と、衛星放送の放送チャンネル「１７１」の放送局「ＢＳテレビＱ」とを登録放送チャンネルの選択肢として表示する。
【００４３】
表示制御部４３は、ＣＡＴＶの放送チャンネル「７０１」の放送局「Ｘ釣り」と、ＣＡＴＶの放送チャンネル「７０２」の放送局「Ｙビジネス」と、ＣＡＴＶの放送チャンネル「７０３」の放送局「Ｚドラマ」とを前方一致放送チャンネルの選択肢として表示する。
【００４４】
表示制御部４３は、特定部４２が特定した登録放送チャンネルを前方一致放送チャンネルよりも優先してディスプレイ２００に選択肢として表示させる。図６の例では、表示制御部４３は、特定部４２が登録放送チャンネルとして特定した放送局「Ｄテレビ」及び「ＢＳテレビＱ」の選択肢を、特定部４２が前方一致放送チャンネルとして特定した放送局「Ｘ釣り」、「Ｙビジネス」及び「Ｚドラマ」の選択肢より優先して上に表示する。図６（ａ）の例では、表示制御部４３は、放送チャンネルの選択肢を最大５つまで表示するものとする。表示制御部４３は、優先順位が６番目以降の放送チャンネルの選択肢を表示しない。
【００４５】
［２番目の番号情報の受付時の選択肢の表示］
表示制御部４３は、前方一致放送チャンネルと登録放送チャンネルとを選択肢として表示している状態において情報受付部４１が次の番号情報を受け付けた場合に、登録放送チャンネルを選択肢から消去し、特定部４２が新たに特定した前方一致放送チャンネルの選択肢をディスプレイ２００に表示させる。図６（ｂ）は、図６（ａ）の状態において次に操作された番号「１」の番号ボタンを示す番号情報を情報受付部４１が受け付けたときの様子を示す。表示制御部４３は、情報受付部４１が次の番号情報を受け付けた場合に、図６（ａ）に示す登録放送チャンネルを選択肢から消去し、特定部４２が新たに特定した前方一致放送チャンネルの選択肢をディスプレイ２００に表示する。
【００４６】
図６（ｂ）の例では、表示制御部４３は、ＣＡＴＶの放送チャンネル「７１１」の放送局「Ｖ能・狂言」と、ＣＡＴＶの放送チャンネル「７１２」の放送局「Ｗ鉄道」と、ＣＡＴＶの放送チャンネル「７１３」の放送局「Ｆチャンネル」と、ＣＡＴＶの放送チャンネル「７１４」の放送局「Ｑ演劇」と、ＣＡＴＶの放送チャンネル「７１５」の放送局「Ｌゴルフ」とを前方一致放送チャンネルとしてディスプレイ２００に表示する。
【００４７】
［選択肢の重複表示の禁止］
表示制御部４３は、複数の放送チャンネルのうち、情報受付部４１が受け付けた番号情報が示す番号ボタンの番号を先頭に含む前方一致放送チャンネルを選択肢としてディスプレイ２００に表示させる際に、特定部４２が特定した登録放送チャンネルと同じ放送チャンネルを除くものとする。例えば、特定部４２は、放送チャンネル「３３３」の放送局「△△チャンネル」を登録放送チャンネルとして特定し、且つ、同じ放送チャンネル「３３３」の放送局「△△チャンネル」を前方一致放送チャンネルとしても特定したものとする。
【００４８】
このとき、表示制御部４３は、放送チャンネル「３３３」の選択肢を登録放送チャンネルとしてディスプレイ２００に表示するので、前方一致放送チャンネルの選択肢として表示する対象からこの放送チャンネル「３３３」を除く。このようにして、表示制御部４３は、同じ放送チャンネルの選択肢を重複してディスプレイ２００に表示することを抑制することができる。
【００４９】
［表示中のネットワークに基づく選択肢の優先表示］
表示制御部４３は、選局されている放送チャンネルに対応する第１ネットワークに属する他の放送チャンネルを、第１ネットワークと異なる第２ネットワークに属する放送チャンネルよりも優先してディスプレイに選択肢として表示させる。第１ネットワーク及び第２ネットワークは、例えば、地上波デジタル放送、衛星放送、４Ｋ画質の衛星放送、ＣＡＴＶである。
【００５０】
図７（ａ）及び（ｂ）は、表示制御部４３が優先表示する選択肢を決定する方法を説明するための図である。図７（ａ）は、第１ネットワークとしての地上波デジタル放送に属する放送チャンネルを選局中である場合の放送チャンネルの選択肢の表示の様子を示す。図７（ｂ）は、第２ネットワークとしての衛星放送に属する放送チャンネルを選局中である場合の放送チャンネルの選択肢の表示の様子を示す。
【００５１】
表示制御部４３は、地上波デジタル放送に属する放送チャンネルを選局している状態では、地上波デジタル放送に属する放送チャンネルを地上波デジタル放送以外のネットワークに属する放送チャンネルよりも優先して表示する。図７（ａ）の例では、表示制御部４３は、番号「６」の番号ボタンに対応する登録放送チャンネルとして、放送局「テレビＲ」の選択肢と放送局「ＢＳＵＵ」の選択肢とを表示する。このとき、表示制御部４３は、選局中の地上波デジタル放送と同じネットワークに属する放送局「テレビＲ」の選択肢を衛星放送に属する放送局「ＢＳＵＵ」の選択肢より優先して上に表示する。
【００５２】
一方、図７（ｂ）の例では、衛星放送に属する放送チャンネルが選局中である。この状態では、表示制御部４３は、衛星放送に属する放送チャンネル「ＢＳＵＵ」を地上波デジタル放送に属する放送チャンネル「テレビＲ」よりも優先して上に表示する。このようにして、表示制御部４３は、同じネットワークに属する放送チャンネルの選択肢を優先して表示するので、同じネットワーク内でザッピングを行う際の操作性を向上させることができる。
【００５３】
表示制御部４３は、選択肢として表示した前方一致放送チャンネル及び登録放送チャンネルから一つの放送チャンネルを選択するためのカーソルを表示する。図８（ａ）及び（ｂ）は、表示制御部４３によるカーソル２０２の表示の一例を示す図である。図８（ａ）は、カーソル２０２が初期位置にある場合の例を示す。図８（ｂ）は、カーソル２０２を移動させる場合の例を示す。図８（ａ）には、カーソル２０２を矩形の枠で示す。図８（ａ）に示すように、カーソル２０２は、初期位置では、最上段の放送チャンネルの選択肢の位置にある。表示制御部４３は、カーソル２０２を移動させるための移動指示を情報受付部４１が操作端末１００から受け付けると、この移動指示に基づいて、カーソル２０２を移動させる。表示制御部４３は、図８（ｂ）に示す状態では、図８（ａ）の状態からカーソル２０２を下へ移動させている。
【００５４】
表示制御部４３は、カーソル２０２を表示した状態において情報受付部４１が移動指示を所定期間以上受け付けない場合、カーソル２０２の位置に対応する放送チャンネルの放送局を選局し、この放送局に対応する放送画像をディスプレイ２００に表示させる。図８（ｂ）の例では、表示制御部４３は、カーソル２０２の位置に対応する放送チャンネル「９０２」の放送局「Ｂ時代劇」を選局し、この放送局の放送画像をディスプレイ２００に表示させる。
【００５５】
［サブチャンネルの選択肢の表示］
サブチャンネルは、メインチャンネルとイベント共有されている状態では、メインチャンネルと同じ放送信号に対応する放送チャンネルである。サブチャンネルは、メインチャンネルとイベント共有されていない状態では、メインチャンネルと異なる放送信号に対応する放送チャンネルである。表示制御部４３は、サブチャンネルであることを示すサブチャンネル情報と、イベント共有されていることを示す共有情報とに第１属性テーブルにおいて関連付けられた放送チャンネルを選択肢としてディスプレイ２００に表示させない。
【００５６】
記憶部３には、複数の放送チャンネルのそれぞれと、サブチャンネルであるか否かを示すサブチャンネル情報と、イベント共有されているか否かを示す共有情報とを関連付けた第１属性テーブルが記憶されている。表示制御部４３は、放送受信部２を介して受信した放送信号に基づいて、第１属性テーブルを生成する。表示制御部４３は、放送チャンネルの選択肢をディスプレイ２００に表示するより前に、生成した第１属性テーブルを記憶部３に記憶させておくものとする。表示制御部４３は、第１属性テーブルを記憶部３から読み出し、読み出した第１属性テーブルに基づいて、特定部４２が前方一致放送チャンネルとして特定した放送チャンネルに関連付けられたサブチャンネル情報と共有情報とをそれぞれ特定する。
【００５７】
表示制御部４３は、特定したサブチャンネル情報に基づいて、特定部４２が前方一致放送チャンネルとして特定した放送チャンネルがサブチャンネルであるか否かを特定する。表示制御部４３は、特定した共有情報に基づいて、特定部４２が前方一致放送チャンネルとして特定した放送チャンネルが対応するメインチャンネルとイベント共有されているか否かを特定する。
【００５８】
表示制御部４３は、特定部４２が前方一致放送チャンネルとして特定した放送チャンネルがサブチャンネルであり、且つ、対応するメインチャンネルとイベント共有されている場合に、この放送チャンネルの選択肢をディスプレイ２００に表示させない。一方、表示制御部４３は、特定部４２が前方一致放送チャンネルとして特定した放送チャンネルがサブチャンネルでない場合や、この放送チャンネルが対応するメインチャンネルとイベント共有されていない場合に、この放送チャンネルを選択肢としてディスプレイ２００に表示させる。このようにして、表示制御部４３は、同じ放送信号に対応する複数の放送チャンネルを選択肢として表示することを抑制することができる。
【００５９】
［チャンネルマスクされた放送チャンネルの選択肢の非表示］
ユーザは、契約上視聴できない等の理由により一部のチャンネルをチャンネルマスクすることがある。チャンネルマスクされたチャンネルは電子番組表等に表示されない。表示制御部４３は、チャンネルマスクされていることを示すマスク情報に第２属性テーブルにおいて関連付けられた放送チャンネルを選択肢としてディスプレイ２００に表示させない。
【００６０】
記憶部３には、複数の放送チャンネルのそれぞれと、チャンネルマスクされているか否かを示すマスク情報とを関連付けた第２属性テーブルが記憶されている。表示制御部４３は、第２属性テーブルを記憶部３から読み出す。表示制御部４３は、読み出した第２属性テーブルを参照して、特定部４２が前方一致放送チャンネルとして特定した放送チャンネルに関連付けられたマスク情報を特定する。表示制御部４３は、放送チャンネルがチャンネルマスクされていることをこのマスク情報が示している場合に、この放送チャンネルを選択肢としてディスプレイ２００に表示させない。一方、表示制御部４３は、放送チャンネルがチャンネルマスクされていないことをこのマスク情報が示している場合に、この放送チャンネルを選択肢としてディスプレイ２００に表示させる。
【００６１】
［操作端末１００の構成］
図９は、操作端末１００の構成を示す図である。操作端末１００は、複数の番号ボタン１０１、送信部１０２、記憶部１０３及び制御部１０４を備える。送信部１０２は、放送受信装置３００へ各種の情報を送信する。例えば、送信部１０２は、放送受信装置３００へ赤外線通信により番号情報等を送信するためのＬＥＤ（Light Emitting Diode）である。記憶部１０３は、ＲＯＭ等の記憶媒体である。記憶部１０３は、制御部１０４が実行するプログラムを記憶している。制御部１０４は、記憶部１０３に記憶されたプログラムを実行することにより、操作受付部１４１及び送信制御部１４２として機能する。
【００６２】
操作受付部１４１は、複数の番号ボタン１０１のいずれか１つが操作されたことを受け付ける。送信制御部１４２は、送信部１０２を介して、各種の情報を放送受信装置３００へ送信する。例えば、送信制御部１４２は、複数の番号ボタン１０１のいずれか１つが操作されたことを操作受付部１４１が受け付けたことに基づいて、操作された番号ボタン１０１を示す番号情報を放送受信装置３００に送信する。
【００６３】
［放送チャンネルの選択肢の表示の処理手順］
図１０は、放送受信装置３００による放送チャンネルの選択肢の表示の処理手順を示すフローチャートである。この処理手順は、例えば、いずれかの放送局が選局されている状態において開始する。
【００６４】
まず、情報受付部４１は、操作された操作端末１００の番号ボタン１０１を示す番号情報を操作端末１００から受け付けたか否かを判定する（Ｓ１０１）。特定部４２は、情報受付部４１が番号情報を受け付けた場合に（Ｓ１０１のＹＥＳ）、複数の放送チャンネルのうち、情報受付部４１が受け付けた番号情報が示す番号ボタン１０１の番号を先頭に含む前方一致放送チャンネルを特定する（Ｓ１０２）。
【００６５】
特定部４２は、番号ボタン１０１と、ネットワークの種別と、登録放送チャンネルとを関連付けた登録チャンネルテーブルを記憶部３から読み出す。特定部４２は、読み出した登録チャンネルテーブルにおいて番号情報が示す番号ボタン１０１に関連付けられた全ての登録放送チャンネルを特定する（Ｓ１０３）。表示制御部４３は、放送チャンネルを選択するための選択肢として、特定部４２が特定した前方一致放送チャンネル及び登録放送チャンネルをディスプレイ２００に表示させ（Ｓ１０４）、Ｓ１０１の判定に戻る。情報受付部４１は、Ｓ１０１の判定において番号情報を受け付けていない場合に、Ｓ１０１の判定を繰り返す。
【００６６】
［本実施形態の放送受信装置による効果］
表示制御部４３は、ユーザが操作した番号ボタン１０１に対応する登録放送チャンネルの選択肢を表示する。表示制御部４３は、登録放送チャンネルの選択肢を表示することに加えて、ユーザが操作した番号ボタン１０１の番号を先頭に含む前方一致チャンネルの選択肢を表示することができる。このため、ユーザは、表示された複数の選択肢から所望の放送局を選択することができ、放送局の放送チャンネルを覚えていない場合においても放送チャンネルを選択しやすい。
【００６７】
以上、本発明を実施の形態を用いて説明したが、本発明の技術的範囲は上記実施の形態に記載の範囲には限定されず、その要旨の範囲内で種々の変形及び変更が可能である。例えば、装置の全部又は一部は、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を併せ持つ。
【符号の説明】
【００６８】
１  情報受信部
２  放送受信部
３  記憶部
４  制御部
４１  情報受付部
４２  特定部
４３  表示制御部
１００  操作端末
１０１  番号ボタン
１０２  送信部
１０３  記憶部
１０４  制御部
１４１  操作受付部
１４２  送信制御部
２００  ディスプレイ
２０１  マーク
２０２  カーソル
３００  放送受信装置
Ｓ  放送受信システム
【要約】
【課題】放送チャンネルの選択を行いやすくする。
【解決手段】操作端末に設けられた複数の番号ボタンのいずれか１つが操作されたことに基づいて、操作された番号ボタンを示す番号情報を操作端末から受け付ける情報受付部４１と、複数の番号ボタンのそれぞれと、複数の放送チャンネルから選択された登録放送チャンネルとを関連付けた登録チャンネルテーブルを記憶する記憶部３と、複数の放送チャンネルのうち、番号情報が示す番号ボタンの番号を先頭に含む前方一致放送チャンネルを特定し、登録チャンネルテーブルにおいて番号情報が示す番号ボタンに関連付けられた登録放送チャンネルを特定する特定部４２と、放送チャンネルを選択するための選択肢として、前方一致放送チャンネルと登録放送チャンネルとを表示部に表示させる表示制御部４３と、を備える。
【選択図】図３【図１】
0006859470.tif 000002
【図２】
0006859470.tif 000003
【図３】
0006859470.tif 000004
【図４】
0006859470.tif 000005
【図５】
0006859470.tif 000006
【図６】
0006859470.tif 000007
【図７】
0006859470.tif 000008
【図８】
0006859470.tif 000009
【図９】
0006859470.tif 000010
【図１０】
0006859470.tif 000011